(57)【要約】      （修正有）【課題】ファイルノートが備えるリングバインダーの影響を避けて、左右両方への位置決めが行なえる手書き筆跡入力装置を提供する。【解決手段】ファイルノートが備えるリングバインダーに結束されたノート用紙と、超音波発信器と赤外線発信器とを備えたペンと、前記ペンの位置座標データとして、ペンより発信された超音波信号と赤外線信号とを連続的に受け取り、手書き筆跡データとして認識する受信装置からなる手書き筆跡入力装置であって、前記受信装置を下敷き上に配置し、前記下敷きの左右両方に前記ファイルノートが備えるリングバインダーに合致した切り欠きを設け、リングバインダーの左右両方への位置決めが行なえる手書き筆跡入力装置。【選択図】図１
2008077365.tif 000002
【特許請求の範囲】
【請求項１】
ファイルノートが備えるリングバインダーに結束されたノート用紙と、前記リングバインダーに着脱する下敷きと、前記下敷き上に受信装置を設置し、超音波発信器と赤外線発信器とを備えたペンと、前記ペンの位置座標データとして、ペンより発信された超音波信号と赤外線信号とを連続的に受け取り、手書き筆跡データとして認識する受信装置からなる手書き筆跡入力装置であって、前記下敷きの左右両方に前記ファイルノートが備えるリングバインダーに合致した切り欠きを設け、リングバインダーの左右両方への位置決めが行なえることを特徴とする手書き筆跡入力装置。
【発明の詳細な説明】
【技術分野】
【０００１】
本発明は、超音波発信器と赤外線発信器とを備えた筆記可能なペンと、該筆記具により発せられる超音波と赤外線とを該ペンの位置座標データとして受け取る受信装置からなる手書き筆跡入力装置に関する。
【背景技術】
【０００２】
従来、超音波と赤外線とを発信する発信器を備えたペンと、ペンから発信される超音波信号と赤外線信号とを受信する複数の受信器を組み込んだ受信装置を有する手書き筆跡入力装置が開発されている。この手書き筆跡入力装置は、用紙がセットされる画板を備えており、用紙上にペンで筆記すると受信装置がペンから発信された超音波信号と赤外線信号とを複数の受信器により受信し、ペン先の位置座標データを検出する。前記位置座標データを連続的に検出することにより、書いた文字や図形等を手書き筆跡データとして認識する。
【特許文献１】特開２０００−２９８５４７号。
【特許文献２】特開２００４−１９２１９９号。
【発明の開示】
【発明が解決しようとする課題】
【０００３】
しかしながら上記従来の手書き筆跡入力装置においては、発信器と受信器の間に、超音波や赤外線を遮る障害物となるリングバインダーなどが入ると、発信器から発せられた超音波信号や赤外線信号が遮られ、受信装置は位置座標データを検出できなくなるので、リングバインダーを利用して複数枚のノート用紙を結束するファイルノートやシステム手帳に於いては左右両方に受信装置を備えるか、筆記対象となるページが移る度に受信装置を筆記対象のページに固定し直す必要があった。また、受信装置を筆記対象のページに固定する場合、受信装置がノート用紙の一定の範囲を占めることにより筆記可能な面積を狭めてしまうという課題があった。
更に、他の方法としてリングバインダーの天地幅に合致した切り欠きを設けない単純な下敷きに、受信装置を設置し、該下敷きを筆記対象ページの下に挟んで使用することが考えられるが、同方式を用いた場合該下敷きが筆記中にずれて受信装置と用紙の距離が変化することによって、ペンの位置座標データの誤差となり、認識した筆跡データが実際にペンで用紙上に筆記した文字や図形と比較して誤差が大きくなるという課題があった。
【課題を解決するための手段】
【０００４】
ファイルノートが備えるリングバインダーに結束されたノート用紙と、前記リングバインダーに着脱する下敷きと、前記下敷き上に受信装置を設置し、超音波発信器と赤外線発信器とを備えたペンと、前記ペンの位置座標データとして、ペンより発信された超音波信号と赤外線信号とを連続的に受け取り、手書き筆跡データとして認識する受信装置からなる手書き筆跡入力装置であって、前記下敷きの左右両方に前記ファイルノートが備えるリングバインダーに合致した切り欠きを設け、リングバインダーの左右両方への位置決めが行なえる手書き筆跡入力装置を要旨とするものである。
【発明の効果】
【０００５】
本発明では、リングバインダーをはさんで左右両方に受信装置を設置したり、筆記の対象となるページが移動する度に筆記対象の用紙に受信装置を固定することなく、使用することができる。また、本発明の下敷きをリングバインダーに固定することにより、同リングバインダーに結束されたノート用紙との位置関係のずれが少ない為、筆記中に受信装置の位置がずれてしまい、認識した筆跡データが実際にペンで用紙上に筆記した文字や図形と比較して誤差が大きくなるという課題も克服することが可能である。
更に、本発明では、リングバインダーに結束された複数のノート用紙を固定したまま、筆記対象となるページの直下に容易に装着し得る上に、セットしたノート用紙の全面に筆記できる。
【発明を実施するための最良の形態】
【０００６】
超音波と赤外線とを発するペンと、一般的なファイルノートが備えるリングバインダーに合致した切り欠きを左右両方に設えた下敷きに、前記超音波と赤外線とを発生するペンから発せられた超音波と赤外線とを受信する受信装置を設置したものであり、前記下敷きは前記リングバインダーにノート用紙を結束ささせたまま、前記リングバインダーの左右両方に着脱可能な形態のものである。
【実施例１】
【０００７】
本発明の詳細を図面を参照して説明する。図１は本発明の手書き筆跡入力装置を示す図である。本発明の手書き筆跡入力装置は、下敷き１とペン２から構成されている。下敷き１は可撓性を有すると共に、下敷きとして使用することが可能な強度を有する材料で構成されている。ペン２のペン先端部４には超音波を発信する発信器（図示せず）と赤外線を発信する発信器（図示せず）とが内蔵され、ペン先３をノート用紙５に押しつけることによりペン先端部４から超音波信号と赤外線信号とが発信される。参照符号６は受信装置である。受信装置６は内蔵した複数の受信器（図示せず）により前記超音波信号と赤外線信号とを受信することにより、ペン先３の位置を検出する。更に、受信装置６は下敷き１から取り外し、受信装置６に設けられたクリップにより任意のサイズの用紙を差し込んで使用することが出来る。
【０００８】
下敷き1の側面には、切り欠き７Ａ、７Ｂが設けられている。下敷き１は、ファイルノート８が備えるリングバインダー９の最上部のリング９ａに切り欠き７Ａ、リングバインダー９の最下部のリング９Ｂに切り欠き７Ｂをそれぞれ差し込むことによって、リングバインダー９に固定することができる。
下敷き１は、切り欠き７ａ、切り欠き７Ｂの左右対称の位置に、対象型の切り欠き７Ａ´、切り欠き７Ｂ´を備える。切り欠き７Ａ´はリングバインダー９の最上部のリング９ａに、切り欠き７Ｂ´リングバインダー９の最下部のリング９Ｂにそれぞれ差し込むことによって、リングバインダー９に固定することができる。
本発明では、下敷き１を固定する対象の一例としてファイルノートの例を開示したが、下敷き１をリングバインダーを備えるシステム手帳に固定するために、切り欠き７ａをシステム手帳のリングバインダーの最上部のリングに、切り欠き７ｂをシステム手帳のリングバインダーの最下部のリングに合わせて形成してもよい。
【０００９】
図２は右ページに筆記する場合の取り付け状態を示す斜視図である。切り欠き７Ａ（図１参照）をリングバインダー９の最上部のリング９ａに、切り欠き７Ｂ（図１参照）をリングバインダー９の最下部のリング９Ｂにそれぞれ差し込むことによって、下敷き１を筆記対象となるページ５Ａの直下に固定する。
【００１０】
実際の使用の仕方について使用者（図示せず）が右ページに筆記する場合の例について図２を参照して説明する。使用者は、下敷き１を筆記対象となるページ５Ａの直下に設置する。切り欠き７Ａ（図１参照）をリングバインダー９の最上部のリング９ａに、切り欠き７Ｂ（図１参照）をリングバインダー９の最下部のリング９Ｂにそれぞれ差し込むことによって、下敷き１はリングバインダー９を介してファイルノート８に固定される。図示するように受信装置５は、筆記対象となるページ５Ａのすぐ上に配置されることとなる。
使用者が、筆記対象となるページ５Ａに文字や図形等を筆記する際、ペン２のペン先３を筆記対象となるページ５Ａに押し付け、筆記するとペン先端部から超音波信号と赤外線信号とが発信される。受信装置５は内蔵された複数の受信器（図示せず）によりペン先端部から発信された超音波信号と赤外線信号とを受信することでペン先３の位置座標データとして検出する。前記位置座標データを連続的に受け取ることで、使用者の書いた文字や図形等の手書き筆跡データとして認識する。受信装置５は内部に記憶装置を設けており、受信した手書き筆跡データは、前記記憶装置に一時的に格納される。
また、使用者の用途により受信装置５とパーソナルコンピュータ（図示せず）を接続することにより、受信装置５に内蔵された記憶装置に手書き筆跡データを格納することなく、前記パーソナルコンピュータのディスプレイ装置（図示せず）に直接手書き筆跡データを表示することが可能である。
【００１１】
次に同じ装置を使って左ページに筆記する場合の例について図３を参照して説明する。図３は左ページに筆記する場合の取り付け状態を示す斜視図である。先ず、下敷き１をリングバインダー９から取り外す。続いて、下敷き１を筆記対象となるページ５Ｂの直下に設置する。切り欠き７Ａ´（図１参照）をリングバインダー９の最上部のリング９ａ´に、切り欠き７Ｂ´（図１参照）をリングバインダー９の最下部のリング９Ｂ´にそれぞれ差し込むことによって、下敷き１はリングバインダー９を介してファイルノート８に固定される。図示するように受信装置５は、筆記対象となるページ５Ｂのすぐ上に配置されることとなる。
この位置関係により、使用者は左ページ５Ｂに、文字や図形等を筆記する際、ペン２のペン先３を筆記対象となるページ５Ａに押し付け、筆記するとペン先端部から超音波信号と赤外線信号とが発信される。受信装置５はペン先端部４から発せられる超音波信号や赤外線信号を遮断されることなく受信することができる。この状態で左ページに筆記する場合でも対応することが出来る。
【図面の簡単な説明】
【００１２】
【図１】本実施例の使用状態図。
【図２】本実施例の右利ページに筆記する場合の斜視図。
【図３】本実施例の左ページに筆記する場合の斜視図。
【符号の説明】
【００１３】
１  下敷き
２  ペン
３  ペン先
４  ペン先端部
５  ノート用紙
６  受信装置
７Ａ  切り欠き
７ｂ  切り欠き
７Ａ  ´切り欠き
７ｂ  ´切り欠き
８  ファイルノート
９  リングバインダー
９ａ  最上部のリング
９ｂ  最下部のリング
【図１】
2008077365.tif 000003
【図２】
2008077365.tif 000004
【図３】
2008077365.tif 000005